(57)【要約】      （修正有）【課題】組立て状態と折畳み状態との間での変形を繰り返して使用しても底部を損傷することがなく、かつ、底部の強度を十分維持することができる包装箱を提供する。【解決手段】包装箱Ａの底部は、２つの第１フラップ４０と第２フラップ６０、６２により構成され、第１フラップ４０は、フラップ本体４４と突出片部４８とで構成され、第１フラップ４０に形成された切欠部５０は、フラップ本体４４と突出片部４８間の折れ線４８ｇの延長線である傾斜辺部４４ｃと、突出片部４８における折れ線４４ａと直角をなす２つの辺部４８ｂ、４８ｆのうち内側に位置する辺部４８ｂにより構成されている。傾斜辺部４４ｃと辺部４８ｂとは約４５度の角度をなしている。【選択図】図６
0003142449.tif 000002
【実用新案登録請求の範囲】
【請求項１】
包装箱であって、
包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成されたスリーブ状部と、
該第１側板部の下端から折れ線を介して連設された第１片部と、
該第２側板部の下端から折れ線を介して連設された第２片部と、
該第３側板部の下端から折れ線を介して連設された第３片部と、
該第４側板部の下端から折れ線を介して連設された第４片部と、
を有し、
該第１片部と第３片部とが、側板部との境界をなす折れ線である基準折れ線を介して連設され、該基準折れ線に対して鋭角の角度をなし隣接する側板部である隣接側板部との境界線の下端位置又はその近傍から伸びた直線状の傾斜辺部を有する本体部と、本体部から該傾斜辺部の一部である折れ線を介して連設され、該基準折れ線に対して直角をなす互いに平行で直線状の２つの辺部を有する突出片部とを有し、基準折れ線の反対側に、突出片部の該平行な直線状の２つの辺部のうち内側に位置する辺部と該傾斜辺部とを有する切欠部で、切欠部を構成する辺部のうち互いに隣接する辺部が１８０度未満の角度をなす切欠部を有し、
第１片部の突出片部が、その隣接側板部の下端から連設された片部で、第２片部と第４片部のいずれか一方の片部と接着され、第３片部の突出片部が、その隣接側板部の下端から連設された片部で、第２片部と第４片部のいずれか他方の片部と接着されており、
包装箱を組み立てた状態では、第１片部の切欠部と第２片部の切欠部とが互いに掛止することにより包装箱の底部が構成されることを特徴とする包装箱。
【請求項２】
スリーブ状部を構成する第１側面部と第２側面部と第３側面部と第４側面部の横方向の幅が同一であり、第１片部において、傾斜辺部が第１折れ線に対して約４５度の角度をなし、第２片部において、傾斜辺部が第２折れ線に対して約４５度の角度をなすことを特徴とする請求項１に記載の包装箱。
【請求項３】
第１片部の第１本体部と第２片部の第２本体部とは、台形形状を呈することを特徴とする請求項１又は２に記載の包装箱。
【請求項４】
包装箱であって、
包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、第１側面部と第２側面部と第３側面部と第４側面部の横方向の幅が同一であり、包装箱の組立て状態では、該第１側板部と該第２側板部と該第３側板部と該第４側板部とでスリーブ状に形成されたスリーブ状部と、
該第１側板部の下端から折れ線を介して連設された第１片部と、
該第２側板部の下端から折れ線を介して連設された第２片部と、
該第３側板部の下端から折れ線を介して連設され、第１辺部と同一の形状及び大きさに形成された第３片部と、
該第４側板部の下端から折れ線を介して連設された第４片部と、
を有し、
該第１片部と第３片部とが、側板部との境界をなす折れ線である基準折れ線を介して連設され、該基準折れ線に対して約４５度の角度をなし隣接する側板部である隣接側板部との境界線の下端位置又はその近傍から伸びた直線状の傾斜辺部と基準折れ線の反対側に第１折れ線と平行な辺部とを有する台形形状の本体部と、本体部から該傾斜辺部の一部である折れ線を介して連設され、該基準折れ線に対して直角をなす互いに平行で直線状の２つの辺部と基準折れ線の反対側に基準折れ線と平行な辺部とを有する突出片部とを有し、基準折れ線の反対側に、突出片部の該平行な直線状の２つの辺部のうち内側に位置する辺部と該傾斜辺部とを有する切欠部で、切欠部を構成する辺部のうち互いに隣接する辺部が１８０度未満の角度をなす切欠部を有し、
第１片部の突出片部が、その隣接側板部の下端から連設された片部で、第２片部と第４片部のいずれか一方の片部と接着され、第３片部の突出片部が、その隣接側板部の下端から連設された片部で、第２片部と第４片部のいずれか他方の片部と接着されており、
包装箱を組み立てた状態では、第１片部の切欠部と第２片部の切欠部とが互いに掛止することにより包装箱の底部が構成されることを特徴とする包装箱。
【請求項５】
第１片部の切欠部と第２片部の切欠部とが、突出片部の該２つの辺部のうち内側に位置する辺部と該傾斜辺部との間に基準折れ線と平行な辺部を有し、これら３つの辺部で切欠部が構成されていることを特徴とする請求項１又は２又は３又は４に記載の包装箱。
【考案の詳細な説明】
【技術分野】
【０００１】
本考案は、包装箱に関するものであり、特に、使用時に胴部を形成することにより同時に底部が形成される包装箱の底部の構造に関するものである。
【背景技術】
【０００２】
従来より、図１０〜図１４に示すような構成の包装箱が存在する。この包装箱は、インターロック式と呼ばれるものであり、胴部を形成すると同時に底部が形成されるものであり、包装箱Ｂは、正面部１１０と、右側面部１１２と、支持フラップ１１３と、左側面部１１４と、支持フラップ１１５と、背面部１１６と、糊代部１１８と、上面部１２０と、差込み片部１２２と、底部１３０とを有している。この包装箱Ｂは、１枚のシート状のブランク（具体的には、段ボール製（例えば、薄型段ボール製）のブランク）により形成されている。
【０００３】
正面部１１０と右側面部１１２と左側面部１１４と背面部１１６は、それぞれが包装箱Ｂの側面を形成し、方形状の板状を呈している。また、糊代部１１８が右側面部１１２の内側に接着されて、正面部１１０と右側面部１１２と左側面部１１４と背面部１１６によりスリーブ状部１０５が形成される。
【０００４】
また、上面部１２０は、背面部１１６の上端から折れ線を介して連設され、方形状を呈している。差込み片部１２２は、上面部１２０の先端から折れ線を介して連設され、スリーブ状部１０５の開口部を上面部１２０により閉じる際に、正面部１１０の内側に差し込まれる。
【０００５】
また、底部１３０は、一対の第１フラップ１４０と、一対の第２フラップ１６０とから構成され、第１フラップ１４０と第２フラップ１６０とは、スリーブ状部１０５を構成する各部における相対する部材の下辺に連設されていて、第１フラップ１４０は、正面部１１０の下辺から折れ線を介して連設されているともに、背面部１１６の下辺から折れ線を介して連設されており、第２フラップ１６０は、右側面部１１２の下辺から折れ線を介して連設されているとともに、左側面部１１４の下辺から折れ線を介して連設されている。２つの第１フラップ１４０は、同大同形状に形成され、２つの第２フラップ１６０は、同大同形状に形成されている。
【０００６】
ここで、正面部１１０から折れ線を介して連設された第１フラップ１４０を例にとって説明すると、第１フラップ１４０は、略台形形状を有するフラップ本体１４２と、フラップ本体１４２の一方の傾斜辺から折れ線を介して連設されている突出片部１４８とを有している。
【０００７】
このフラップ本体１４２は、台形形状をなす台形状部１４４と、台形状部１４４の一方の傾斜辺から突出した略台形形状の突出片部１４６とを有している。
【０００８】
すなわち、台形状部１４４は、正面部１１０との境界をなす基端辺部１４４ａと、該基端辺と平行をなす先端辺部１４４ｂと、基端辺部１４４ａと先端辺部１４４ｂとの間を結ぶ傾斜辺部１４４ｃ、１４４ｄに囲まれた形状を呈し、傾斜辺部１４４ｃは、正面部１１０と右側面部１１２の境界線の下端位置又はその近傍から基端辺に対して約４５度の角度をなして形成され、この傾斜辺部１４４ｃは、フラップ本体１４２と突出片部１４８との間の折れ線上に形成されているといえる。
【０００９】
また、突出片部１４６は、台形状部１４４の傾斜辺１４４ｃにおける突出片部１４８形成領域よりも先端側に形成され、略台形形状を呈し、傾斜辺部１４４ｃ上の基端辺部１４６ａと、基端辺部１４６ａと相対し基端辺部１４６ａと略平行な先端辺部１４６ｂと、先端辺部１４４ｂの延長線をなす辺部１４６ｃと、基端辺１４４ａと直角をなす辺部１４６ｄとで囲まれた形状を呈している。台形状部１４４と突出片部１４６とは一体に形成されている。
【００１０】
また、突出片部１４８は、フラップ本体１４２の台形状部１４４の傾斜辺部１４４ｃから突出して形成され、六角形状をなし、辺部１４８ａ〜１４８ｅ及び１４４ｃに囲まれた形状をなし、特に、突出片部１４６に隣接し、傾斜辺部１４４ｃから伸びた辺部１４８ａは、基端辺部１４４ａと平行をなし、辺部１４８ａに延設された辺部１４８ｂは、辺部１４８ａに対して約４５度をなし、辺部１４８ｃは、基端辺部１４４ａと略平行となっている。
【００１１】
以上のような構成とすることにより、突出片部１４８と突出片部１４６との間には、大きな切欠部１５０が形成され、さらに、その奥側に小さな切欠部１５２が形成され、この切欠部１５２は、傾斜辺部１４６ｄと辺部１４８ａと辺部１４８ｂにより囲まれた形状となっている。傾斜辺部１４６ｄと辺部１４８ｂとは約４５度をなしていることになる。
【００１２】
背面部１１６から折れ線を介して連設された第１フラップ１４０も正面部１１０から折れ線を介して連設された第１フラップ１４０と同様の構成である。
【００１３】
また、第２フラップ１６０は、略台形形状を呈し、特に、一方の傾斜辺部１６０ａは、第２フラップ１６０と右側面部１１２との境界線である折れ線と約４５度の角度をなし、また、他方の傾斜辺部１６０ｂは、第２フラップ１６０と右側面部１１２との境界線である折れ線と４５度よりも大きい角度をなしている。
【００１４】
包装箱Ｂにおいては、突出片部１４８の上面側が第２フラップ１６０の下面に接着され、特に、突出片部１４８の辺部１４８ｂが傾斜辺部１６０ａと略平行になるように接着される。
【００１５】
包装箱Ｂが組み立てられている状態では、図１０、図１１に示すように、第１フラップ１４０の切欠部１５２同士が互いに掛止した状態となっていて、底部１３０を強固に平面状に維持している。そして、図１０に示すように、２つの傾斜辺部１４４ｃ（つまり、フラップ本体１４２と突出片部１４８間の折れ線）は略一直線状をなすとともに、図１１に示すように、一対の突出片部１４６において、一方の突出片部１４６の先端辺部１４６ｂが他方の突出片部１４６の先端辺部１４６ｂよりも奥側に位置し、２つの突出片部１４６は、平面視した場合に、ともに、底部１３０における角部Ｗ１（背面部１１６と左側面部１１４の境界線の下端位置の角部）と角部Ｗ２（正面部１１０と右側面部１１２の境界線の下端位置の角部）を結んだ直線よりも突出して位置することになる。
【００１６】
包装箱Ｂにおいて、組立て状態から折り畳み状態にするには、スリーブ状部１０５を折り畳むことにより、底部１３０を構成する各部がスリーブ状部１０５の内部に畳まれた状態となる。その際、第１フラップ１４０においては、突出片部１４８がフラップ本体１４２に対して折れ線を介して折曲した状態となる。
【００１７】
また、特許文献１に記載の包装箱においては、第１の逃げ用折目線２０、２５と第２の逃げ用折目線２１、２６を設けることによって、第１フラップ７、８の傾動を円滑に行なう点が開示されている。
【特許文献１】特開平８−１５６９３０号公報
【考案の開示】
【考案が解決しようとする課題】
【００１８】
しかし、図１０〜図１４に示す包装箱Ｂにおいては、第１フラップ１４０の切欠部１５２同士が互いに掛止した状態となり、２つの突出片部１４６は、ともに、底部１３０における角部Ｗ１（背面部１１６と左側面部１１４の境界線の下端位置の角部）と角部Ｗ２（正面部１１０と右側面部１１２の境界線の下端位置の角部）を結んだ直線よりも突出して位置しているので、包装箱Ｂを組立て状態と折畳み状態との間で変形させた場合に、一対の突出片部１４６が互いに強く接触し（図１２参照）、組立て状態と折畳み状態との間で何度も変形させて繰返し使用した場合に、突出片部１４６が大きく損傷してしまうという問題があり、特に、組立て状態から折畳み状態に変形する際には、組立て状態において一対の切欠部１５２同士が掛止しているので、その掛止を解除するように操作しなければならず、その際に、突出片部１４６における切欠部１５２側の端部が特に損傷してしまうという問題があり、組立て状態と折畳み状態との間で繰り返し使用することができないという問題があった。
【００１９】
また、特許文献１に記載の包装箱においては、第１の逃げ用折目線２０、２５と第２の逃げ用折目線２１、２６を設けることによって、第１フラップ７、８の傾動を円滑に行なうようにしているが、逃げ用折目線が設けられているために包装箱の底部の強度が弱くなるという問題があった。
【００２０】
そこで、本考案が解決しようとする問題点は、組立て状態と折畳み状態との間での変形を繰り返して使用しても底部を損傷することがなく、かつ、底部の強度を十分維持することができる包装箱を提供することである。
【課題を解決するための手段】
【００２１】
本考案は上記問題点を解決するために創作されたものであって、第１には、包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、包装箱の組立て状態では、該第１側板部と該第２側板部と該第３側板部と該第４側板部とでスリーブ状に形成されたスリーブ状部と、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有し、該第１片部と第３片部とが、側板部との境界をなす折れ線である基準折れ線を介して連設され、該基準折れ線に対して鋭角の角度をなし隣接する側板部である隣接側板部との境界線の下端位置又はその近傍から伸びた直線状の傾斜辺部を有する本体部と、本体部から該傾斜辺部の一部である折れ線を介して連設され、該基準折れ線に対して直角をなす互いに平行で直線状の２つの辺部を有する突出片部とを有し、基準折れ線の反対側に、突出片部の該平行な直線状の２つの辺部のうち内側に位置する辺部と該傾斜辺部とを有する切欠部で、切欠部を構成する辺部のうち互いに隣接する辺部が１８０度未満の角度をなす切欠部を有し、
第１片部の突出片部が、その隣接側板部の下端から連設された片部で、第２片部と第４片部のいずれか一方の片部と接着され、第３片部の突出片部が、その隣接側板部の下端から連設された片部で、第２片部と第４片部のいずれか他方の片部と接着されており、
包装箱を組み立てた状態では、第１片部の切欠部と第２片部の切欠部とが互いに掛止することにより包装箱の底部が構成されることを特徴とする。
【００２２】
この第１の構成の包装箱においては、組立て状態から折り畳み状態にするには、スリーブ状部を折り畳むことにより、底部を構成する各部がスリーブ状部の内部に畳まれた状態となる。一方、包装箱を折り畳んだ状態から組立て状態にするには、スリーブ状部における隣接する部材が互いに直角となるようにして、開口部を四角形状に形成する。
【００２３】
本考案の包装箱においては、切欠部を構成する傾斜辺部が本体部と突出片部の間の折れ線の延長線上にあり、包装箱が組み立てられている状態では、本体部の傾斜辺部は略一直線状をなすので、組立て状態と折り畳み状態との間で変形するに際して、傾斜辺部同士は接触するものの、強く接触することがなく、本体部における傾斜辺部の領域が損傷することがなく、組立て状態と折り畳み状態との間で繰り返し変形しても第１片部と第３片部の本体部が損傷することがない。
【００２４】
また、第１片部と第３片部における切欠部において、突出片部の該平行な直線状の２つの辺部のうち内側に位置する辺部と傾斜辺部とは、鋭角をなしているので、包装箱の組立て状態においても第１片部と第３片部とが互いに強く掛止され、底部の強度が弱くなることがない。
【００２５】
また、第２には、上記第１の構成において、スリーブ状部を構成する第１側面部と第２側面部と第３側面部と第４側面部の横方向の幅が同一であり、第１片部において、傾斜辺部が第１折れ線に対して約４５度の角度をなし、第２片部において、傾斜辺部が第２折れ線に対して約４５度の角度をなすことを特徴とする。
【００２６】
また、第３には、上記第１又は第２の構成において、第１片部の第１本体部と第２片部の第２本体部とは、台形形状を呈することを特徴とする。
【００２７】
また、第４には、包装箱であって、包装箱の側面を形成するスリーブ状部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、第１側面部と第２側面部と第３側面部と第４側面部の横方向の幅が同一であり、包装箱の組立て状態では、該第１側板部と該第２側板部と該第３側板部と該第４側板部とでスリーブ状に形成されたスリーブ状部と、該第１側板部の下端から折れ線を介して連設された第１片部と、該第２側板部の下端から折れ線を介して連設された第２片部と、該第３側板部の下端から折れ線を介して連設され、第１辺部と同一の形状及び大きさに形成された第３片部と、該第４側板部の下端から折れ線を介して連設された第４片部と、を有し、該第１片部と第３片部とが、側板部との境界をなす折れ線である基準折れ線を介して連設され、該基準折れ線に対して約４５度の角度をなし隣接する側板部である隣接側板部との境界線の下端位置又はその近傍から伸びた直線状の傾斜辺部と基準折れ線の反対側に第１折れ線と平行な辺部とを有する台形形状の本体部と、本体部から該傾斜辺部の一部である折れ線を介して連設され、該基準折れ線に対して直角をなす互いに平行で直線状の２つの辺部と基準折れ線の反対側に基準折れ線と平行な辺部とを有する突出片部とを有し、基準折れ線の反対側に、突出片部の該平行な直線状の２つの辺部のうち内側に位置する辺部と該傾斜辺部とを有する切欠部で、切欠部を構成する辺部のうち互いに隣接する辺部が１８０度未満の角度をなす切欠部を有し、第１片部の突出片部が、その隣接側板部の下端から連設された片部で、第２片部と第４片部のいずれか一方の片部と接着され、第３片部の突出片部が、その隣接側板部の下端から連設された片部で、第２片部と第４片部のいずれか他方の片部と接着されており、包装箱を組み立てた状態では、第１片部の切欠部と第２片部の切欠部とが互いに掛止することにより包装箱の底部が構成されることを特徴とする。
【００２８】
この第４の構成の包装箱においては、組立て状態から折り畳み状態にするには、スリーブ状部を折り畳むことにより、底部を構成する各部がスリーブ状部の内部に畳まれた状態となる。一方、包装箱を折り畳んだ状態から組立て状態にするには、スリーブ状部における隣接する部材が互いに直角となるようにして、開口部を四角形状に形成する。
【００２９】
本考案の包装箱においては、切欠部を構成する傾斜辺部が本体部と突出片部の間の折れ線の延長線上にあり、包装箱が組み立てられている状態では、本体部の傾斜辺部は略一直線状をなすので、組立て状態と折り畳み状態との間で変形するに際して、傾斜辺部同士は接触するものの、強く接触することがなく、本体部における傾斜辺部の領域が損傷することがなく、組立て状態と折り畳み状態との間で繰り返し変形しても第１片部と第３片部の本体部が損傷することがない。
【００３０】
また、第１片部と第３片部における切欠部において、突出片部の該平行な直線状の２つの辺部のうち内側に位置する辺部と傾斜辺部とは、約４５度の角度をなしているので、包装箱の組立て状態においても第１片部と第３片部とが互いに強く掛止され、底部の強度が弱くなることがない。
【００３１】
また、第５には、上記第１から第４までのいずれかの構成において、第１片部の切欠部と第２片部の切欠部とが、突出片部の該２つの辺部のうち内側に位置する辺部と該傾斜辺部との間に基準折れ線と平行な辺部を有し、これら３つの辺部で切欠部が構成されていることを特徴とする。
【考案の効果】
【００３２】
本考案に基づく包装箱Ａによれば、組立て状態と折畳み状態との間での変形を繰り返して使用しても底部を損傷することがなく、かつ、底部の強度を十分維持することができる。
【考案を実施するための最良の形態】
【００３３】
本考案においては、組立て状態と折畳み状態との間での変形を繰り返して使用しても底部を損傷することがなく、かつ、底部の強度を十分維持することができる包装箱を提供するという目的を以下のようにして実現した。
【００３４】
本考案に基づく包装箱Ａは、図１〜図６に示すように構成され、正面部１０（第１側面部）と、右側面部１２（第２側面部）と、支持フラップ１３と、左側面部１４（第４側面部）と、支持フラップ１５と、背面部１６（第３側面部）と、糊代部１８と、上面部２０と、差込み片部２２と、底部３０とを有している。この包装箱Ａは、１枚のシート状のブランク（具体的には、段ボール製（例えば、薄型段ボール製）のブランク）により形成されている。
【００３５】
正面部１０と右側面部１２と左側面部１４と背面部１６は、それぞれが包装箱Ａの側面を形成し、方形状の板状を呈していて、縦方向及び横方向の幅は同一に形成されている。また、糊代部１８は背面部１６の側辺から折れ線を介して連設され、台形状の板状を呈し、右側面部１２の内側に接着されて、正面部１０と右側面部１２と左側面部１４と背面部１６によりスリーブ状部５が形成される。
【００３６】
また、上面部２０は、背面部１６の上端から折れ線を介して連設され、スリーブ状部５を組み立てた場合の開口部の大きさと略同様の大きさの方形状を呈している。差込み片部２２は、細長長方形状の角部にアールを形成した形状を呈し、上面部２０の先端から折れ線を介して連設され、スリーブ状部５の開口部を上面部２０により閉じる際に、正面部１０の内側に差し込まれる。
【００３７】
また、底部３０は、一対の第１フラップ４０と、第２フラップ６０、６２とから構成され、第１フラップ４０と第２フラップ６０、６２とは、スリーブ状部５を構成する各部における相対する部材の下辺に連設されていて、第１フラップ４０は、正面部１０の下辺から折れ線を介して連設されているともに、背面部１６の下辺から折れ線を介して連設されており、第２フラップ６０（第２片部）は、右側面部１２の下辺から折れ線を介して連設され、第２フラップ６２（第４片部）は、左側面部１４の下辺から折れ線を介して連設されている。２つの第１フラップ４０は、同大同形状に形成されている。
【００３８】
ここで、正面部１０から折れ線を介して連設された第１フラップ４０（第１片部）を例にとって説明すると、第１フラップ４０は、略台形形状を有するフラップ本体４４（本体部）と、フラップ本体４４の一方の傾斜辺から折れ線を介して連設されている突出片部４８とを有している。
【００３９】
ここで、フラップ本体４４は、台形形状の板状をなし、正面部１０との境界の折れ線４４ａ（基準折れ線）と、該折れ線４４ａと平行をなす先端辺部４４ｂと、折れ線４４ａと先端辺部４４ｂとの間を結ぶ傾斜辺部４４ｃ、４４ｄに囲まれた形状を呈し、傾斜辺部４４ｃは、正面部１０と右側面部１２（隣接側板部）の境界線の下端位置又はその近傍から折れ線４４ａに対して約４５度（丁度４５度としてもよい）の角度（すなわち、鋭角の角度）をなして形成され、この傾斜辺部４４ｃは、フラップ本体４４と突出片部４８との境界位置ではフラップ本体４４と突出片部４８との間の折れ線４８ｇと一致している。また、傾斜辺部４４ｄは、折れ線４４ａと４５度よりも大きい角度をなし、８０〜９０度（具体的には、８５度）の角度をなしている。折れ線４４ａは、正面部１０と第１フラップ４０間の折れ線と一致している。
【００４０】
また、突出片部４８は、フラップ本体４４の傾斜辺部４４ｃから突出して形成され、略台形形状をなし、辺部４８ａ〜４８ｆと折れ線４８ｇに囲まれた形状をなしている。
【００４１】
すなわち、辺部４８ａは、フラップ本体４４の傾斜辺部４４ｃに接続され、折れ線４４ａと平行（略平行としてもよい）をなし、切欠部５０を形成すべく短い直線状に形成されている。また、辺部４８ｂは、辺部４８ａの傾斜辺部４４ｃ側とは反対側の端部から連設され、折れ線４４ａに対して直角（略直角としてもよい）に形成されている。また、辺部４８ｃは、辺部４８ｂの辺部４８ａ側とは反対側の端部から連設され、略円弧状に形成されている。また、辺部４８ｄは、辺部４８ｃの辺部４８ｂとは反対側の端部から連設され、折れ線４４ａと平行（略平行としてもよい）に直線状に形成されている。また、辺部４８ｅは、辺部４８ｄの辺部４８ｃ側とは反対側の端部から連設され、略円弧状に形成されている。また、辺部４８ｆは、辺部４８ｅの辺部４８ｄとは反対側の端部から連設され、折れ線４４ａに対して直角（略直角としてもよい）に形成されている。以上のように、突出片部４８は、台形形状の２つの角部にアールを設け、図６における左側の端部に小さな三角形状の突起部（傾斜辺部４４ｃと辺部４８ａとが二辺をなす三角形状の突起部）を有しているといえる。
【００４２】
なお、フラップ本体４４の傾斜辺部４４ｃのスリーブ状部５側の端部から辺部４８ａとの接続位置までの長さは、底部３０の相対する角部間の距離Ｈ（図３参照）の半分又は該半分よりも若干短く形成されている。また、フラップ本体４４の傾斜辺部４４ｃの長さは、底部３０の相対する角部間の距離Ｈの半分よりも大きく形成されている。
【００４３】
これにより、第１フラップ４０には、切欠部５０が形成され、この切欠部５０は、フラップ本体４４の傾斜辺部４４ｃ−１（フラップ本体４４の傾斜辺部４４ｃにおける切欠部５０を構成する部分）と突出片部４８の辺部４８ａと辺部４８ｂとで形成された、略三角形状の切欠部となる。また、この切欠部５０において、傾斜辺部４４ｃと辺部４８ｂとは約４５度（丁度４５度としてもよい）の角度をなしている。この切欠部５０を構成する傾斜辺部４４ｃ−１と辺部４８ａと辺部４８ｂのうち互いに隣接する辺部が１８０度未満の角度をなしている。この点は、従来例を示す図１４において、先端辺部１４６ｂ辺部１４６ｄとが１８０度以上の角度をなしている点とは異なる。つまり、１８０度未満の角度をなしているとは、図１４のように奥側に小さな切欠部が設けられていないことを示している。また、辺部４８ｂは、上記「突出片部の該平行な直線状の２つの辺部のうち内側に位置する辺部」となる。
【００４４】
背面部１６から折れ線を介して連設された第１フラップ４０（第３片部）も正面部１０から折れ線を介して連設された第１フラップ４０と同様の構成である。
【００４５】
また、第２フラップ６０は、略台形形状を呈し、辺部６０ａ〜６０ｇとで囲まれた形状を呈し、辺部６０ｇは、右側面部１２と第２フラップ６０間の折れ線と一致している。
【００４６】
辺部６０ａは、折れ線６０ｇに対して傾斜しており、辺部６０ｇに対して４５度よりも大きい角度（６５〜７５度（具体的には、７０度））をなしている。また、辺部６０ｂは、辺部６０ａの辺部６０ｇとは反対側の端部から連設され、略円弧状に形成されている。また、辺部６０ｃは、辺部６０ｂの辺部６０ａとは反対側の端部から連設され、辺部６０ｇと平行（略平行としてもよい）に直線状に形成されている。また、辺部６０ｄは、辺部６０ｃの辺部６０ｂとは反対側の端部から連設され、略円弧状に形成されている。また、辺部６０ｅは、辺部６０ｄの辺部６０ｃとは反対側の端部から連設され、辺部６０ｇに対して直角（略直角としてもよい）に形成されている。また、辺部６０ｆは、辺部６０ｅの端部と辺部６０ｇの端部間に形成され、辺部６０ｇに対して傾斜した（約４５度（丁度４５度としてもよい）の角度で傾斜した）直線状を呈している。この第２フラップ６０は、略台形形状に辺部６０ｇに対して傾斜した辺部６０ａとは反対側が略三角形状に切り欠かれた構成であり、その切欠部分は、辺部６０ｇに対して直角な辺部６０ｅと辺部６０ｇに対して傾斜した辺部６０ｆにより構成されているといえる。
【００４７】
また、第２フラップ６２は、略台形形状を呈し、辺部６２ａ〜６２ｆとで囲まれた形状を呈し、辺部６２ｆは、左側面部１４と第２フラップ６２間の折れ線と一致している。
【００４８】
辺部６２ａは、辺部６２ｆに対して傾斜しており、辺部６２ｆに対して４５度よりも大きい角度（６５〜７５度（具体的には、７０度））をなしている。この角度は、辺部６０ａが辺部６０ｇとなす角度と同一である。また、辺部６２ｂは、辺部６２ａの辺部６２ｆとは反対側の端部から連設され、略円弧状に形成されている。また、辺部６２ｃは、辺部６２ｂの辺部６２ａとは反対側の端部から連設され、辺部６２ｆと平行（略平行としてもよい）に直線状に形成されている。また、辺部６２ｄは、辺部６２ｄの端部と辺部６２ｆの端部間に形成され、辺部６２ｆに対して傾斜した（１１５〜１２５度の角度で傾斜した）直線状を呈している。以上のように、第２フラップ６２は、略台形形状の先端の２つの角部にアールを形成した形状をなしているといえる。
【００４９】
包装箱Ａにおいては、正面部１０に連設された第１フラップ４０の突出片部４８の上面側が第２フラップ６０の下面に接着され、特に、突出片部４８の辺部４８ｆが辺部６０ｇ（右側面部１２と第２フラップ６０間の折れ線）と略平行になるように接着される。また、背面部１６に連設された第１フラップ４０の突出片部４８の上面側が第２フラップ６２の下面に接着され、特に、突出片部４８の辺部４８ｆが辺部６２ｆ（左側面部１４と第２フラップ６２間の折れ線）と略平行になるように接着される。
【００５０】
包装箱Ａが組み立てられている状態では、図３、図４に示すように、第１フラップ４０の切欠部５０同士が互いに掛止した状態となっていて、底部３０を強固に平面状に維持している。そして、図３に示すように、２つの折れ線４８ｇは略一直線状をなすとともに、図４に示すように、２つのフラップ本体４４の傾斜辺部４４ｃ−１も略一直線状をなしている。
【００５１】
包装箱Ａにおいて、組立て状態から折り畳み状態にするには、スリーブ状部５を折り畳むことにより、底部３０を構成する各部がスリーブ状部５の内部に畳まれた状態となる。すなわち、組立て状態から折り畳み状態に至る途中においては、右側面部１２を正面部１０側に傾動させるとともに、左側面部１４を背面部１６側に傾動させると、その底面視は図７に示すようになり、さらに、図８に示すような形態となり、包装箱Ａを折り畳んだ状態では図９に示すような状態となる。その際、第１フラップ４０においては、突出片部４８がフラップ本体４４に対して折れ線を介して折曲した状態となる。
【００５２】
なお、包装箱Ａを折り畳んだ状態から組立て状態にするには、スリーブ状部５における隣接する部材が互いに直角となるようにして、開口部を四角形状に形成する。すると、底面視においては、図８の状態から図７の状態となり、さらに、図３の状態となる。
【００５３】
本実施例の包装箱Ａにおいては、切欠部５０を構成する傾斜辺部４４ｃ−１が折れ線４８ｇの延長線上にあり、上記のように、包装箱Ａが組み立てられている状態では、図４に示すように、２つのフラップ本体４４の傾斜辺部４４ｃ−１も略一直線状をなしていて、従来における図１４に示すように突出していないので、組立て状態と折り畳み状態との間で変形するに際して、傾斜辺部４４ｃ−１同士は接触するものの、強く接触することがなく、フラップ本体４４における傾斜辺部４４ｃ−１の領域が損傷することがなく、組立て状態と折り畳み状態との間で繰り返し変形してもフラップ本体４４が損傷することがない。
【００５４】
また、第１フラップ４０において、傾斜辺部４４ｃ−１と辺部４８ｂとは約４５度をなしているので、包装箱Ａの組立て状態においても２つの第１フラップ４０が互いに強く掛止され、底部３０の強度が弱くなることがない。
【００５５】
以上のように、本実施例の包装箱Ａにおいては、組立て状態と折畳み状態との間での変形を繰り返して使用しても底部を損傷することがなく、かつ、底部３０の強度を十分維持することができる。
【００５６】
また、上記従来の包装箱Ｂにおいては、図１４に示すように、大きな切欠部１５０にさらに小さな切欠部１５２が設けられていて、組立て状態では、この小さな切欠部１５２同士が掛止する構成であるので、包装箱の製造時に底部の貼りずれがわずかでも生じると底部を平板状にするのが困難であるが、本実施例の包装箱Ａにおいては、大きな切欠部５０が掛止する構成であるので、包装箱の製造時に底部の貼りずれがわずかに生じても底部を平板状に構成することができ、底部の貼りずれに強い構成であるといえる。また、底部を平板状に構成できるので、底部にシール等のシート状部材を貼りやすくなる。
【００５７】
なお、上記の説明においては、突出片部４８において、辺部４８ａが設けられているとしたが、これは、包装箱Ａを構成するブランクの厚みを考慮したものであり、この辺部４８ａの構成を省略して、傾斜辺部４４ｃ−１と辺部４８ｂとで切欠部５０を構成してもよい。
【００５８】
また、正面部１０と右側面部１２と左側面部１４と背面部１６において、横方向の幅が同一であるとして説明したが、正面部１０と背面部１６の横方向の幅が同じで、右側面部１２と左側面部１４の幅が同じに形成されていればよい。その場合に、正面部１０及び背面部１６の横方向の幅と、右側面部１２及び左側面部１４の横方向の幅とが異なる場合には、傾斜辺部４４ｃは折れ線４４ａに対して約４５度とならないが、少なくとも鋭角の角度をなすことになる。
【図面の簡単な説明】
【００５９】
【図１】本考案の実施例に基づく包装箱を示す上方斜視図である。
【図２】本考案の実施例に基づく包装箱を示す下方斜視図である。
【図３】本考案の実施例に基づく包装箱を示す底面図である。
【図４】本考案の実施例に基づく包装箱の内側の状態を示す平面図である。
【図５】本考案の実施例に基づく包装箱の展開図である。
【図６】図５における要部拡大図である。
【図７】包装箱を折り畳む途中の状態を示す底面図である。
【図８】包装箱を折り畳む途中の状態を示す底面図である。
【図９】包装箱を折り畳んだ状態を示す斜視図である。
【図１０】従来の包装箱を示す底面図である
【図１１】従来の包装箱の内側の状態を示す平面図である。
【図１２】従来の包装箱の折り畳む途中の状態を示す底面図である。
【図１３】従来の包装箱を示す展開図である。
【図１４】図１３における要部拡大図である。
【符号の説明】
【００６０】
Ａ、Ｂ  包装箱
５  スリーブ状部
１０  正面部
１２  右側面部
１４  左側面部
１６  背面部
２０  上面部
３０  底部
４０  第１フラップ
４４  フラップ本体
４８  突出片部
５０  切欠部
６０、６２  第２フラップ
【図１】
0003142449.tif 000003
【図２】
0003142449.tif 000004
【図３】
0003142449.tif 000005
【図４】
0003142449.tif 000006
【図５】
0003142449.tif 000007
【図６】
0003142449.tif 000008
【図７】
0003142449.tif 000009
【図８】
0003142449.tif 000010
【図９】
0003142449.tif 000011
【図１０】
0003142449.tif 000012
【図１１】
0003142449.tif 000013
【図１２】
0003142449.tif 000014
【図１３】
0003142449.tif 000015
【図１４】
0003142449.tif 000016